(57)【要約】【課題】  浴室等に設置されているシャワー等は、混合水栓で混合された適温の湯が供給されているが、今日、生活形態が変化し混合水洗からシャワーヘッドまでの距離が長くなっている。    つまり、サーモハンドルで温度変化を行っても、サーモハンドル以降の配管・シャワーホース内にある湯等が排出され、次に変更した温度へ上がってくるのを待つ必要があり、熱カロリーと水量自体のロスがあった。【解決手段】  本発明は、混合水栓の中を通過中のお湯と水を、混合水栓内で従来の様に混合させず、湯と水の割合を決めるだけに使って通過させ、混合水洗通過後も、湯水別々の管を通しでシャワーヘッド等先端まで誘導することを特徴とした。  結果、混合水栓で温度を変化させると、シャワーヘッド等の距離のある先端でも温度変化が瞬時に変わり節水、安全面に良い変化をもたらした。【選択図】図１
2016148229.tif 000002
【特許請求の範囲】
【請求項１】
二本の導入管、二本の排出管、合計４本の管が取り付けられている非混合水洗。
【請求項２】
非混合水栓へ別々に導入された湯と水を、非混合水栓通過中及びその後も、湯と水を混合させず、随時設定された温度の湯と水の割合で、それぞれの配管で、吐水先またはその近くで排水する非混合水栓。
【請求項３】
［請求項２］に、全開から止水迄の機能を追加した非混合水栓。
【請求項４】
非混合水栓へ別々に供給される湯と水において、非混合水栓通過前に水側のみサーモスッタットを取り付け、水の温度を安定させてから非混合水栓で随時その都度設定された温度で、給湯給水する非混合水栓。
【請求項５】
非混合水栓の内部構造の内、固定部及び回動部の湯水導入部分の関係について。
固定部の入水側の、湯と水の開口部間の最接近部分の間隔は、一般的な固定部の湯と水の導入開口部の距離をおおむね踏襲する。
回動部においては、固定部の湯用の開口部と水用の開口部の形状及び距離間、特に距離間を概ね踏襲したのち、湯の開口部と、水の開口部の間隔を、開口部の幅分の距離だけ、それぞれ左右に等距離移動拡張した意匠を有する非混合水栓。
【発明の詳細な説明】
【技術分野】
【０００１】この発明は、台所・風呂場・浴場・プールのシャワー室その他で使用する混合水栓に関するものである。
【背景技術】
【０００２】  従来の混合水栓は、湯と水をそれぞれの管で混合水洗へ導入し、操作部で使用適温に混合したのち１系統の配管で吐水口より吐出していた。
これは、一般に広く採用されている形態である。
【公開番号】
【０００３】特開２０１３−０７２４８７    特開２０１３−１８１６３７  等、多数あり
【発明の概要】
【発明が解決しようとする課題】
【０００４】混合水栓とシャワーヘッドなどの吐水部が、一体または非常に近い場合は気になるほどの問題ではなかったが、最近の、台所の引出式のホース付キッチン水栓・風呂場のシャワー・特に天井上部からのシャワーなどは、操作部と吐水部が１．５ｍ〜３ｍ以上離れる構造が特殊でなくなった。【０００５】そのため、使用中の湯の温度が高いと感じて温度を下げても、変更前の湯が配管やシャワーホースを経由し、シャワーヘッドで吐水されるまで、温度は下がらなかった。【０００６】本発明はここに着目し、混合水栓とシャワーヘッドなどの吐水部が１０ｍ離れていても、混合水栓で温度を下げた瞬時に温度変化が吐水部で起き、この時間・経済的損失を無くすことを目的とした。
【課題を解決するための手段】
【０００７】手軽な、解りやすい実験の例をひとつ挙げる。
水道の蛇口（ＣＷ）に１０ｍのホースをつなぎその先端を大きいジョーゴに向ける。
もう一か所同等の水道の蛇口（ＨＷ）を同じジョーゴに向けるが、ホースの長さは拘らない。
―実験―
水道の蛇口（ＣＷ）を開ける（水がジョーゴ下から出る）
水道の蛇口（ＣＷ）を素早く閉めながら同時に水道の蛇口（ＨＷ）を素旱く開ける。
この時、ジョーゴから出る水量は変化しない。
しかし、水道の蛇口（ＨＷ）の水が４５℃の湯であれば、ジョーゴ吐水部側からみれば瞬時に４５℃の湯が出ることとなる。【０００８】以上の実験を踏まえ、従来の混合水栓内部において、導入された湯と水を混合させず、割合を決定する能力だけを持たせることとした。
割合だけ決定された湯と水は、別々の管を通り、吐水部またはその直前で混合吐水するようにした。【０００９】  水側の温度を安定させるため（夏冬では、２０度以上温度差が出る）水側にサーモスタットを設置（３０〜３５℃位）する。
サーモスタットは、なくても良い。【００１０】水側、にサーモスタットを取り付けるのは、日本の場合（自治体・マンション等で水道水の様に湯を配湯していれば別）湯と水の圧力差が大きい地域が一定の割合で存在し、しばしば様々な問題、例えばサーモスタットの温度調節不良・異音、逆止弁の止水不良等がおこりメーカー・設備設置業者・使用者等に金銭的物理的な損害を被らせていた。【００１１】最近の殆どの給湯機器は給湯温度を設定できるので、湯の温度設定は給湯機器に任せ、水側にサーモスタットを付けて水の温度をぬるい水に設定し、夏冬の微妙な調節を不要にした。【００１２】それは、湯側へのサーモスタット設置で起こる湯圧の低下を軽減するとともにサーモスタットを設置した水側に抵抗をもたらすため、水圧を下げる効果も生む。  そのため、相対的に湯圧と水圧の圧力差は少なくなる。
【発明の効果】
【００１３】非混合水栓で温度を上げた場合、湯量が増え、水量は減る。
その増減は、瞬時に吐水部先端で温度変化として現れる。
そのため、非混合水栓のハンドルで温度を変更すれば、即座に温度が変化し吐水部で希望の温度になる。【００１４】本発明は、温度変更をサーモスタット（５）ではなく非混合水栓（１）で行う。
【図面の簡単な説明】
【００１５】
【図１】  本発明の概略全体図である。
【発明を実施するための形態】
【００１６】本発明の非混合栓を実施するため、２つの形態の非混合水栓を以下で説明する。
使用感、設置形態が変わるだけで発明の本質は変わらない。
【実施例】
【００１７】本発明の実施例を、図面に基づいて説明する。
配管内径は、すべて同一とする。説明の都合上直径８ｍｍとする。
図面内の図面の方向位置関係は、この書面の１行目方向を奥、最終行方向を手前、行の一文字目方向を左、行の最終文字方向を右と表記する。【００１８】図１は、不特定多数の人が使う屋内プールのシャワー室を想定した概念図である。【００１９】ボイラー（２）で温められた水は湯となり、入湯配管（３）を通り非混合水栓（１）へ導かれる。
水との混合比率を定められた湯は、非混合出湯配管（４）を通り、混合部（５）で混合され初めて、非混合水栓（１）で設定された適温となる。【００２０】水配管（７）を通過して来た水は、サーモスタット装置（８）で３０〜３５℃位のぬるい水に設定されたのち、出水配管（９）を通過し、非混合水栓（１）へ導かれる。
湯との混合比率を定められたぬるい水は、非混合出水配管（１０）を通り、混合部（５）で混合され初めて、非混合水栓（１）で設定された適温となる。【００２１】その後、シャワーヘッド（６）から放出されて目的を達成する。【００２２】図２は、本発明の非混合水栓（１）、外観および非混合水栓（１）を分解した基本部品である。【００２３】  温度プレート（１１ａ）と、調節プレート（１１）は、一体であるが、水平に切断してかまぼこ状の開口部（１１ｂ）を解り易く表現している。【００２４】  基礎体（１２）には、調節プレート（１１）、その上部に移動制御プレート（１３）が収納され、蓋（１４）で密閉されている。
調節プレート（１１）は、奥側、手前側は自由に移動し、左右は、移動制御プレート（１３）を伴って移動する。
移動制御プレート（１３）は、左右は自由に移動であるが、奥手前側は基礎体（１２）の奥手前２方向の立ち上がり部分によって移動不可である。
これらは、一般に広く普及している構造をさらに簡素化した外観および分解図なので、さらなる詳細な説明は省く。【００２５】  図３は、非混合水栓（１）の斜視図であり、一部断面図で表している。
開斜視断面図（１ａ）では、移動制御プレート（１３）が右端へ、調節プレート（１１）は奥側へ移動しており、湯限定で最大吐出量となっている。【００２６】  全閉斜視断面図（１ｂ）では、移動制御プレート（１３）が左端へ、調節プレート（１１）は手前側へ移動しており、湯水共に供給停止状態である。【００２７】  図４は、様々な吐出形態時の基礎体（１２）と調節プレート（１１）の位置関係を表している。【００２８】
2016148229.tif 000003
【００２９】  かまぼこ状の開口部（１１ｂ）内において、入湯配管（３）と、非混合出湯配管（４）の黒塗りの部分があれば、かまぼこ状の開口部（１１ｂ）で調整された量が通湯中を意味する。【００３０】図５は、非混合水栓・丸型（１Ａ）の斜視図外観および分解した基本部品である。【００３１】  回動プレート・丸型（１Ａｃ）と、調節プレート・丸型（１Ａｄ）は、一体であるが、水平に切断して変形開口部（１Ａｇ）を解り易く表現している。【００３２】  基礎体・丸型（１Ａｆ）には、流量盤（１Ａｅ）が、基礎体・丸型（１Ａｆ）の凸部と、流量盤（１Ａｅ）の凹部が、一致して固定されて収納される。【００３３】  その上部に、回動プレート・丸型（１Ａｃ）を収納、更にその上部に、蓋・丸型（１Ａｂ）を収めて密閉されている。【００３４】回動プレート・丸型（１Ａｃ）の外寸は、流量盤（１Ａｅ）の内寸より小さいので、その範囲で自由に移動可能であるが、回転及び奥手前移動の範囲は、さらに上部にある部品で制限される。【００３５】  また、その上部にある部品等は、一般に広く普及している構造であり、本特許の範囲とは異とするので特に記入しない。【００３６】図６は、流量盤（１Ａｅ）と、調節プレート・丸型（１Ａｄ）の、変形開口部（１Ａｇ）の位置関係を表現している。【００３７】
2016148229.tif 000004
【００３８】（１６ｂ）は、水限定の説明となり、吐水部に出水するときの開口部の位置関係は、左より、回動部の湯の開口部有り、相手の固定部の湯・開口部無→回動部の開口部無し（幅だけ離した）、相手の固定部の湯の開口部有→回動部の湯の開口部有り、固定部の湯の開口部有となり、水限定で吐水する。
【産業上の利用可能性】
【００３９】シャワーホース付のシャワーヘッドでは、シャワーヘッドまで湯水ホース２本が必要となり高価となるが、それを逆手に取り、円の直径が左右方向だけ２倍となる断面のホース等、意匠が、大胆に変化する。【００４０】従来のシャワーホーを使用し、非混合水栓からシャワーホース迄の間だけ本特許を採用しても、効果はある。【００４１】天井や壁面等からから２本のパイプで保持されるシャワーヘッド等の新規の意匠。【００４２】壁面やパイプ等に上下に複数取り付けられたシャワーヘッドからの湯は、非混合水栓採用時には、上より順番に温度変化せず、上下一気に変化する。【００４３】不特定多数が自分の好みで頻繁に温度変更させる娯楽施設等では、かなり省エネが期待できる。【００４４】瞬時の温度変化は、最短の温度変化時間を誇るサーモスタット保有のメーカをしても其の比ではなく、よって技術的に劣るメーカーにとって本特許を採用すれば、それらを凌駕する製品を販売でき、方や、トップメーカーにとっては、更に飛躍を約束する特許である。
【符号の説明】
【００４５】１      非混合水洗
１ａ    開斜視図
１ｂ    閉斜視図
１Ａｂ  蓋・丸型
１Ａｃ  回動プレート・丸型
１Ａｄ  調節プレート
１Ａｅ  流量盤
１Ａｆ  基礎体
１Ａｇ  変形開口部
２      ボイラー
３      入湯配管
４      非混合出湯配管
５      混合部
６      シャワーヘッド
７      水配管
８      サーモスタット装置
９      入水配管
１０    非混合出水配管
１１    調節プレート
１１ａ  温度プレート
１１ｂ  かまぼこ状の開口部
１２    基本体
１３    移動制御プレート
１４    蓋
【図１】
2016148229.tif 000005
【図２】
2016148229.tif 000006
【図３】
2016148229.tif 000007
【図４】
2016148229.tif 000008
【図５】
2016148229.tif 000009
【図６】
2016148229.tif 000010
【手続補正書】
【提出日】平成27年3月22日(2015.3.22)
【手続補正１】
【補正対象書類名】明細書
【補正対象項目名】００１５
【補正方法】変更
【補正の内容】
【００１５】
【図１】  全体概念図である。
【図２】  非混合水栓（１）の外観および分解した基本部品図である。
【図３】  非混合水栓（１）の斜視図であり一部断図である。
【図４】  様々な吐出形態時の基礎体（１２）と調節プレート（１１）の位置関係を表した図である。
【図５】  非混合水栓・丸型（１Ａ）の斜視図外観および分解した基本部品図である。
【図６】  様々な吐出形態時の、流量盤（１Ａｅ）と、調節プレート・丸型（１Ａｄ）の、変形開口部（１Ａｇ）の位置関係を表現した図である。